(57)【特許請求の範囲】
【請求項１】
建物の外壁表面に取り付けられる取り付け金具と、前記取り付け金具を収納可能な開口を有し前記外壁に対して突出した状態に取り付けられるカバー部材とを備え、前記取り付け金具及び前記カバー部材の内壁に設けられ互いに係合する係合部によって前記取り付け金具とカバー部材とが固定される化粧材であって、
前記取り付け金具の前記係合部よりも前記外壁側に位置し、前記カバー部材の内壁に向かって伸び先端が前記カバー部材の内壁の側面と間隙を有する抜け止め部と、
前記カバー部材の内壁の側面の開口近傍に設けられ、前記抜け止め部を収納可能な抜け止め収納部とを備え、
前記係合部は、前記固定腕の先端側に設けられた係合突部と、前記カバー部材の内壁に設けられた係合凹部とで構成され、
前記取り付け金具は、建物の外壁に対して略垂直方向に伸びるバネ板で構成され、前記バネ板の先端が折り曲げられて形成され、前記カバー部材の内壁の奧面を押圧する押さえバネを備える固定腕を備えることを特徴とする、化粧材。  
【請求項２】
前記係合凹部は、前記カバー部材の前記内壁の側面に設けられていることを特徴とする、請求項１に記載の化粧材。
【請求項３】
前記カバー部材は、断面が略コの字状に構成されていることを特徴とする、請求項１又は２に記載の化粧材。
【請求項４】
前記取り付け金具は、前記カバー部材の前記内壁の側面に沿って伸びる案内腕を有し、前記抜け止め部は、前記案内腕に設けられていることを特徴とする、請求項１から３のいずれか１つに記載の化粧材。
【請求項５】
前記カバー部材は、前記内壁に前記案内腕の先端側を挿入する案内腕収納部を有していることを特徴とする、請求項４に記載の化粧材。 
【発明の詳細な説明】
【技術分野】
【０００１】
本発明は、建物の外壁表面に設置される化粧材に関するものであり、さらに詳しくは、窓や扉などの外壁の開口部周囲に設けられる化粧材に関するものである。
【背景技術】
【０００２】
従来、建物の外壁に設けられた窓などの開口部に窓や扉を設置する場合、外壁の開口部周りに化粧材を設けて開口部周りに立体感のあるデザインを施すことが行われている。
【０００３】
この化粧材としては、例えば図１に示すように、建物１００の外壁１０１に設けられた窓１０５を取り付けるための開口１０２の周囲に、外壁１０１面に対して突出した化粧モール１等が例示できる。
【０００４】
また、このような建物の開口部外周に設けられる化粧材は、単なる装飾だけではなく、外装材の隠蔽や窓の固定などに用いられることがあり、これらの化粧材としては、それぞれ特許文献１（特開２０００−２５７３４０号公報）や、特許文献２（２００９−７９４５４号公報）等に例示されている。
【０００５】
これらの各特許文献に開示された化粧材は、金属などで構成された取付部材をねじなどで外壁表面に固定し、カバー部材を取付部材に固定する。このとき、当該取付部材の表面側からカバー部材である化粧材を取付部材に被せて当該取付部材をカバー部材内に収納して隠蔽している。
【０００６】
また、デザイン的な要請より、化粧材は取り付け後において、表面から固定のためのねじなどが見えないようにするために、化粧材を断面コの字状に構成し、化粧材の内壁面と取付部材の外表面に互いに連結する嵌め込み構造が設けられた構成が広く採用されている。
【先行技術文献】
【特許文献】
【０００７】
【特許文献１】特開２０００−２５７３４０号公報
【特許文献２】特開２００９−７９４５４号公報
【発明の概要】
【発明が解決しようとする課題】
【０００８】
しかし、上記の特許文献に記載された化粧材は、取付部材の表面側からカバー部材である化粧材を嵌め込みにより固定する構造であるため、側方からの外力を受けると化粧材が脱落するという問題があった。
【０００９】
特に、外壁面に対し突出した状態に設けられる化粧材は、当該化粧材の上面に人が乗ることによってカバー部材が取付部材から外れて落下することを防止するために、化粧材の上に人が乗ることを禁止している。しかし、子ども等が高い場所への踏み台とする場合があるなど確実に防止できるものではない。その結果、化粧材の脱落により人物の落下事故などの原因につながるという問題があった。
【００１０】
したがって、本発明が解決しようとする技術的課題は、取り付け金具を介して外壁表面に取り付けられる化粧材について、外力、特に上面からの外力に起因する脱落を防止することができる化粧材を提供することである。
【課題を解決するための手段】
【００１１】
本発明は、上記技術的課題を解決するために、以下の構成の化粧材を提供する。
【００１２】
本発明の第１態様によれば、建物の外壁表面に取り付けられる取り付け金具と、前記取り付け金具を収納可能な開口を有し前記外壁に対して突出した状態に取り付けられるカバー部材とを備え、前記取り付け金具及び前記カバー部材の内壁に設けられ互いに係合する係合部によって前記取り付け金具とカバー部材とが固定される化粧材であって、
前記取り付け金具の前記係合部よりも前記外壁側に位置し、前記カバー部材の内壁に向かって伸び先端が前記カバー部材の内壁の側面と間隙を有する抜け止め部と、
前記カバー部材の内壁の側面の開口近傍に設けられ、前記抜け止め部を収納可能な抜け止め収納部とを備え、
前記係合部は、前記固定腕の先端側に設けられた係合突部と、前記カバー部材の内壁に設けられた係合凹部とで構成され、
前記取り付け金具は、建物の外壁に対して略垂直方向に伸びるバネ板で構成され、前記バネ板の先端が折り曲げられて形成され、前記カバー部材の内壁の奧面を押圧する押さえバネを備える固定腕を備えることを特徴とする、化粧材を提供する。 
【００１４】
本発明の第２態様によれば、前記係合凹部は、前記カバー部材の前記内壁の側面に設け
られていることを特徴とする第１態様の化粧材を提供する。 
【００１５】
本発明の第３態様によれば、前記カバー部材は、断面が略コの字状に構成されていることを特徴とする、第１又は第２態様のいずれか１つの化粧材を提供する。 
【００１７】
本発明の第４態様によれば、前記取り付け金具は、前記カバー部材の前記内壁の側面に沿って伸びる案内腕を有し、前記抜け止め部は、前記案内腕に設けられていることを特徴とする、第１から第３態様のいずれか１つの化粧材を提供する。 
【００１８】
本発明の第５態様によれば、前記カバー部材は、前記内壁に前記案内腕の先端側を挿入する案内腕収納部を有していることを特徴とする、第４態様の化粧材を提供する。
【発明の効果】
【００１９】
本発明によれば、カバー部材と取り付け金具とが、それぞれに設けられた係合部同士の嵌め合いにより固定されると共に、当該カバー部材に外力が加わった場合、カバー部材の開口側に設けられた抜け止め部と抜け止め収納部が係合してカバー部材の脱落を防止することができる。また、抜け止め部は、通常時はカバー部材の抜け止め収納部に収まらないような大きさに構成されているため、カバー部材の取り付け時に緩衝することはなく、化粧材の組み立ての手間が増大することがない。一方で、外力が加わることによりカバー部材が撓むと、抜け止め収納部が抜け止め部を収納し、両者が係合することで脱落を防止することができる。
【００２０】
また、係合部を固定腕の先端側に設けられた係合突部と前記内壁に設けられた係合凹部で構成することにより、カバー部材を建物の外壁側に押しつける作業のみで、取り付け金具への固定が可能であり、取り付け作業を簡略化することができる。
【００２１】
さらに、固定腕をバネ板で構成することにより、カバー部材の取り付け時にバネ板が撓むことで取り付け作業を簡略化することができると共に、先端に設けられている押さえバネにより、カバー部材の内壁の奧面を押圧してカバー部材のガタツキを抑制することが可能である。
【００２２】
さらに、抜け止め部を案内腕に設けることにより、カバー部材の取り付け作業を容易にすると共に、固定腕とは別の部材により脱落が防止されるので、固定腕の損傷が生じた場合でもカバー部材の脱落が防止される。
【図面の簡単な説明】
【００２３】
【図１】外壁開口部に化粧材を取り付けた状態を示す斜視図である。
【図２】本発明の実施形態にかかる化粧材の取り付け構成を示す図である。
【図３】図２の化粧材の取り付け手順を説明する図である。
【図４】図２の化粧材の取り付け手順を説明する図であり、図３に続く図である。
【図５】図２の化粧材を構成するカバー部材の構成を示す部分拡大斜視図である。
【図６】図２の化粧材を構成する取り付け金具の構成を示す斜視図である。
【図７】図６の取り付け金具の正面図である。
【図８】図２の化粧材の上側水平材の組み立て分解図である。
【図９】図２の化粧材の上側水平材の組み立て構成図であり、図２のIX-IX線における断面図である。
【図１０】図９の部分拡大図である。
【図１１】上側から外力が加わり、抜け止め溝に抜け止め部が挿入した状態を示す説明図である。
【図１２】図２の化粧材の下側水平材の組み立て構成図であり、図２のXII-XII線における断面図である。
【図１３】図２の化粧材を構成する取り付け金具の構成を示す斜視図であり、垂直材を固定する場合の取り付け状態を示す図である。
【図１４】図２の化粧材の垂直材の組み立て構成図であり、図２のXIII-XIII線における断面図である。
【発明を実施するための形態】
【００２４】
以下、本発明の実施形態に係る化粧材について、図面を参照しながら説明する。なお、本発明における化粧材は、取り付け金具及び取り付け金具を介して建物に固定されるカバー部材を少なくとも含んでいる。
【００２５】
図２は、本発明の実施形態にかかる化粧材の取り付け構成を示す図である。本実施形態にかかる化粧材１は、図１の従来例の化粧材と同様に、建物外壁１０１の開口部１０２の周囲に設けられる。本実施形態では、建物外壁１０１の開口部１０２として、矩形の窓１０５を例にとって説明する。開口部１０２の周囲には、窓ガラスを取り付けるためのサッシ枠１０６が設けられており、当該サッシ枠１０６の外側周縁に沿って化粧材１が配置される。
【００２６】
化粧材１は、外壁１０１の表面に対して突出した状態に取り付けられ、窓周りに立体感のある装飾を施すことができる。また、外壁面に取り付け可能であるため、固定窓や引き違い窓などサッシ枠１０６の種類や形状によらず、例えば、１〜２階の窓など上下方向に連続した窓を一体として囲うように配置することも可能であり、装飾のバリエーションを多様にすることができる。
【００２７】
化粧材１は、取り付け金具及び該取り付け金具を表面側からカバーし取り付け金具に固定されることで建物躯体に固定されるカバー部材とからなる。図２においては、窓枠に沿って配置されるカバー部材２（２ａ，２ｂ，２ｃ）と、カバー部材２を固定するための取り付け金具３とを備える。取り付け金具３は、外壁１０１の表面に直接又は下地材を介してねじ止めなどの手段によって取り付けられる。本実施形態では、矩形の窓の一辺に沿って、それぞれ３つの取り付け金具３を所定の間隔をおいて固定し、その取り付け金具３を隠蔽するようにカバー部材２を固定する。
【００２８】
図３及び図４は、本実施形態の化粧材の取り付け手順、すなわち化粧材の建物への取付方法を説明する図である。本実施形態にかかる化粧材１は、図３に示すように、外壁開口部１０２の周りに取り付け位置の基準となる墨出しを行ない、当該墨出し線に基づいて位置決めし、取り付け金具３を外壁１０１の表面に固定する。墨出し線の位置は、化粧材１や窓１０５のサイズ等に応じて適宜決定すればよく、開口部１０２の周囲を囲うように墨出しを行う。
【００２９】
取り付け金具３に固定されるカバー部材２は、開口部１０２の上辺に沿って配置される上側水平材２ａ，開口部１０２の下辺に沿って配置される下側水平材２ｂ，開口部１０２の左右両辺に沿って配置される垂直材２ｃから構成される。それぞれのカバー部材２は、断面が略コの字状に構成されており、その開口が外壁１０１側となるように取り付けられる。
【００３０】
カバー部材２の取り付けは、図３に示すように最初に垂直材２ｃから行う。垂直材２ｃの対向面４の上下端には、上側水平材２ａ及び下側水平材２ｂの両端と嵌合するガイド部材５が設けられている。その後、矢印９０に示すように、外壁面に対して垂直方向から取り付け金具３を被覆するように垂直材２ｃを被せることで、カバー部材２及び取り付け金具３に設けられる係合部が互いに係合して、カバー部材２が固定される。カバー部材２及び取り付け金具３に設けられる係合部について詳細は後述する。
【００３１】
次いで、垂直材２ｃと同様に、矢印９１に示すように、外壁面に対して垂直方向から上側水平材２ａ及び下側水平材２ｂを取り付け金具３に固定する。なお、上側水平材２ａ及び下側水平材２ｂはその端部６が、垂直材２ｃの上下端に設けられたガイド部材５に嵌るように取り付けることで、カバー部材２の継ぎ目部分のガタツキを抑えることができる。
【００３２】
このように化粧材１を取り付けることにより、外壁１０１の表面に対してカバー部材２が突出する状態に取り付けられる。また、カバー部材２と取り付け金具３とは、嵌め合いにより連結される構成であるため、カバー部材２に外力、特に上側からの外力が加わることにより脱落する場合があるが、本実施形態では、後述する脱落防止のための構造を有しており、外力によるカバー部材２の脱落を抑制している。
【００３３】
図５は、本実施形態の化粧材を構成するカバー部材の構成を示す部分拡大斜視図である。図５は、一例として上側水平材２ａの構成を例にとって説明するが、それぞれのカバー部材の構成は共通するものである。
【００３４】
カバー部材２は、アルミ合金製の長尺の金属部材１０と、金属部材１０の外表面に被覆されるコーティング層１１とで構成されている。金属部材１０は、押し出し成形により構成されており、その長手方向のどの位置においても同じ断面形状を有する。コーティング層１１は、本実施形態では、合成樹脂と木粉ペレットの混合剤を塗布したものであり、表面に木調の温かみのある装飾を施している。
【００３５】
金属部材１０は、全体が一体として構成されているが、機能的にその外形を構成する外層１２と、外層１２内に位置する内層１３とに大別される。
【００３６】
外層１２は、コの字状の形状であり、開口１４部分を除きコーティング層１１で被覆されている。外層１２の幅寸法Ｗは、外壁１０１からの突出量を考慮して適宜設計すればよい。
【００３７】
内層１３は、外層１２の内部を幅方向に仕切る仕切り壁１５と、開口１４と仕切り壁１５との間に設けられる側壁１６とを備える。
【００３８】
なお、仕切り壁１５と側壁１６に囲まれた領域に開口１４が画定され、当該開口の周りに位置する仕切り壁１５の中間部分１７と側壁１６が本発明の内壁に相当し、内壁の奥面に仕切り壁１５が内壁の側面に側壁１６が位置することとなる。
【００３９】
開口１４から仕切り壁１５までの奥行き寸法Ｗ１は、後述する取り付け金具３の固定腕の長さに応じて適宜決定することができ、外力による外層１２の撓みが大きくならない程度にしておくことが好ましい。仕切り壁１５は、中央部分１７が開口１４側に突出し、中間部分１７の上下に案内腕収納部１８が設けられている。
【００４０】
側壁１６は、開口１４から仕切り壁１５に向かうにつれて互いの離間距離が小さくなるように傾斜しており、その表面には後述する取り付け金具３の係合突部と連結する係合凹部１９と脱落防止用の抜け止め溝２０が全長にわたって設けられている。抜け止め溝２０は本発明の抜け止め収納部の一例に相当する。係合凹部１９の開口側は傾斜面１９ａで構成され、後述する取り付け金具３との係合がスムーズに行われる。
【００４１】
抜け止め溝２０は、開口内縁２１よりも外層１２側に凹むように設けられ、側壁１６に対して略垂直な係止壁２０ａを形成する。
【００４２】
図６，図７は、本実施形態の化粧材を構成する取り付け金具の構成を示す斜視図である。取り付け金具３は、金具本体２２と、金具本体２２の上下に設けられたバネ部材２３とで構成されている。取り付け金具３は、上側及び下側水平材２ａ，２ｂと水平材２ｃとで共通して使用されるが、後述するように両者で外壁１０１への取り付けの向きが異なる。なお、図６及び図７は、上側水平材２ａ及び下側水平材２ｂに用いられる場合の取り付け方向を示している。
【００４３】
金具本体２２は、１枚の金属板を折り曲げて形成されており、外壁１０１に沿って配置される取付板２４と、取付板２４の上下中央部分に取付板２４に対して垂直な案内腕２５とを備えている。案内腕２５の根本部分は、切り抜き２６が設けられており、当該切り抜き２６の内側の舌片２７先端側が上下方向に折り曲げられて抜け止め部２８が構成されている。
【００４４】
取付板２４は、四角に外壁１０１に固定するためのねじ孔２９を備えている。
【００４５】
金具本体２２の上下方向中央位置及び幅方向中央位置には、位置合わせ用の切り欠き３０ａ，３０ｂが、また、取付板２４の中央には、センター穴３１が設けられている。切り欠き３０ａ，３０ｂは、外壁１０１に取り付け金具３を取り付ける際に、外壁１０１に設けられた墨出し線に位置合わせし、墨出し線がセンター穴３１の中央を通過するように取り付け角度の調整に使用する。
【００４６】
図６，図７に示す上側水平材２ａ及び下側水平材２ｂの固定に使用される場合は、墨出し線が水平方向に伸びるので、切り欠き３０ａの中央部分に墨出し線を合わせ、センター穴３１を上下方向の中央位置を通過するように角度調整を行う。
【００４７】
バネ部材２３は、バネ板で構成され、案内腕２５の幅方向両側に取付板２４対して垂直な固定腕３２と固定腕の先端側に係合突部３３が設けられている。係合突部３３は、カバー部材２の係合凹部１９と係合し、カバー部材２を取り付け金具３へ固定する。係合突部３３の先端側面は傾斜面３３ａとなっており、カバー部材２の取り付け時には、固定腕３２が撓んで係合凹部１９への係合をスムーズにしている。
【００４８】
固定腕３２の先端は、内側方向へ折り曲げられて押さえバネ３４を構成する。押さえバネ３４は、カバー部材２の取り付け時に仕切り壁１５の中間部１７仕切り壁の中間部分１７を押圧し、カバー部材２を取り付け金具３から離間させる方向に付勢し、カバー部材２のガタツキを軽減する。なお、押さえバネ３４は、中央部分に切り欠き３４ａを備え、図７に示すようにねじ孔２９へねじ８０の取り付け作業を容易にしている。
【００４９】
図８は本実施形態の化粧材の上側水平材の組み立て分解図である。図９は本実施形態の化粧材の上側水平材の組み立て構成図であり、図２のIX-IX線における断面図である。すなわち、この図８及び図９は建物躯体に対しカバー部材を固定する際の固定構造の詳細を示している。上側水平材２ａの取り付けには、外壁１０１に位置決めしてねじ８０によって固定された取り付け金具３に矢印９２に示すように上側水平材２ａを被せるように固定する。なお、上側水平材２ａの取り付けに先立ち、外壁１０１の取り付け金具３の上下にシール部材８１を設置してもよい。
【００５０】
カバー部材２の取付方法として、まず上側水平材２ａを矢印９２に示す方向に移動させると、案内腕２５と固定腕３２が上側水平材２ａの開口１４に挿入される。案内腕２５は、内層１３の側壁１６に沿って上下方向の位置決めを行いつつ、上側水平材２ａをガイドし、案内腕２５の先端２５ａが案内腕収納部１８に挿入される。
【００５１】
一方、固定腕３２の先端側に位置する係合突部３３が係合凹部１９の傾斜面１９ａの傾斜によって上下方向に撓んで傾斜面を乗り越え、係合凹部１９内に移動することで、係合突部３３と係合凹部１９が係合する。
【００５２】
また、固定腕３２の先端に位置する押さえバネ３４が内層１３の仕切り壁１５の中間部分１７に当接して、上側水平材２ａを押圧するため、上側水平材２ａを取り付け金具３から離間させる方向に付勢し、上側水平材２ａのガタツキを軽減する。なお、上側水平材２ａを取り付け金具３に固定した後は、図９に示すように、固定ねじ８２を上側水平材２ａ下面側から挿入して固定を強固にしてもよい。
【００５３】
なお、図９に示すように、取り付け時においては、開口１４の近傍に設けられた抜け止め溝２０の下方には、抜け止め部２８が位置する。抜け止め部２８は、図１０に示すように、先端２８ａと開口内縁２１の間に間隙Ｇが生じるように構成されており、取り付け時に抜け止め部２８が開口内縁２１と緩衝しないので、取り付け動作をスムーズにすることができる。
【００５４】
一方、取り付け後、上側水平材２ａの上面２ｕに人が乗った場合など、図１１に示すように、矢印９３に示す所定以上の下向きの加重が加わると、上側水平材２ａが当該荷重により変形し、側壁１６が下向きに撓む場合がある。この場合、側壁１６が下方向に移動して、抜け止め部２８の先端２８ａが抜け止め溝２０に挿入されることとなる。
【００５５】
このため、矢印９４に示すように、上側水平材２ａが取り付け金具３から外れるように移動した場合、抜け止め部２８が抜け止め溝２０の係止壁２０ａに係止されることとなるため、矢印９４に示す上側水平材２ａの回転移動が制限され、また、案内腕２５により下方向への移動が制限されるため、上側水平材２ａの脱落を防止することができる。
【００５６】
なお、図１２に示すように、下側水平材２ｂの取り付け金具３への取り付けにおいても、同様に、下側水平材を外壁１０１に対して垂直方向に移動させることで、部材間の緩衝が生じることなく、取り付け金具３への下側水平材２ｂの固定を容易に行なうことができ、また、上面に対する下向きの荷重が加わった場合にも、抜け止め部２８が抜け止め溝２０の係止壁２０ａに係止されることとなるため、下側水平材２ｂの脱落を防止することができる。
【００５７】
また、垂直材２ｃを固定するためには、図１３に示すように取り付け金具３を９０度回転させた状態で外壁１０１にねじ止めする。すなわち、墨出し線が鉛直方向に伸びるので、切り欠き３０ａの中央部分に墨出し線を合わせ、センター穴３１を左右方向の中央位置を通過するように角度調整を行う。なお、窓のコーナー部分に取り付け金具３を取り付ける場合は、９０度交差する方向に設けられる墨出し線が切り欠き３０ａ、３０ｂの中央部分となるように位置合わせし、墨出し線の角部がセンター穴３１に位置するように角度調整すればよい。
【００５８】
なお、図１４に示すように、垂直材２ｃの取り付け金具３への取り付けにおいても、同様に、垂直材２ｃを外壁１０１に対して垂直方向に移動させることで、部材間の緩衝が生じることなく、取り付け金具３への垂直材２ｃの固定を容易に行なうことができる。また、垂直材２ｃや取り付け金具３を上側水平材２ａの固定のための部品と共通化することができるので、部品点数が少なく、製造コストを抑えることができる。
【００５９】
以上説明したように、本実施形態の化粧材によれば、カバー部材と取り付け金具とが、それぞれに設けられた係合突部と係合凹部の嵌め合いにより固定されると共に、当該カバー部材に外力が加わった場合、カバー部材の開口側に設けられた抜け止め部と抜け止め溝が係合してカバー部材の脱落を防止することができる。また、抜け止め部は、通常時はカバー部材の内壁と間隙が設けられているため、カバー部材の取り付け時に緩衝することはなく、外力によりカバー部材が撓むことによって、抜け止め部と抜け止め溝が係止してカバー部材の脱落を防止することができる。
【００６０】
なお、本発明は上記各実施形態に限定されるものではなく、その他種々の態様で実施可能である。たとえば、カバー部材と取り付け金具とを固定する機構については、実施形態に記載の構造に限定されず、カバー部材の係合部を仕切り壁１５に設けることも可能である。すなわち、抜け止め部が係合部よりもカバー部材の開口側に位置するように構成され、かつ、取り付け金具の固定腕がカバー部材の内面に係合する構成であれば特にその構成は問わない。
【００６１】
また、カバー部材も直線的に構成されている必要はなく、例えば、屈曲した形状や環状に構成されていてもよい。また、本実施形態において、カバー部材は、金属部材１０の外表面にコーティング層１１を被覆した構成となっているが、例えば、本発明において、カバー部材を金属部材１０のみで構成することも可能である。
【符号の説明】
【００６２】
１  化粧材
２  カバー部材
２ａ  上側水平材
２ｂ  下側水平材
２ｃ  垂直材
３  取り付け金具
４  対向面
５  ガイド部材
６  端部
１０  金属部材
１１  コーティング層
１２  外層
１３  内層
１４  開口
１５  仕切り壁
１６  内壁
１７  仕切り壁中間部
１８  案内腕収納部
１９  係合凹部
１９ａ  抜け止め溝傾斜面
２０  抜け止め溝（抜け止め収納部）
２０ａ  抜け止め溝係止壁
２１  開口内縁
２２  金具本体
２３  バネ部材
２４  取付板
２５  案内腕
２６  切り抜き
２７  舌片
２８  抜け止め部
２８ａ  抜け止め部先端
２９  ねじ孔
３０ａ，３０ｂ  切り欠き
３１  センター穴
３２  固定腕
３３  係合突部
３４  押さえバネ
３４ａ  押さえバネ切り欠き
８０  ねじ
８１  シール部材
８２  固定ねじ
１０１  外壁
１０２  開口部
１０５  窓
１０６  サッシ枠
Ｇ  間隙
【図１】
0006747707.tif 000002
【図２】
0006747707.tif 000003
【図３】
0006747707.tif 000004
【図４】
0006747707.tif 000005
【図５】
0006747707.tif 000006
【図６】
0006747707.tif 000007
【図７】
0006747707.tif 000008
【図８】
0006747707.tif 000009
【図９】
0006747707.tif 000010
【図１０】
0006747707.tif 000011
【図１１】
0006747707.tif 000012
【図１２】
0006747707.tif 000013
【図１３】
0006747707.tif 000014
【図１４】
0006747707.tif 000015